(57)【要約】【課題】  書換え不能記憶媒体を外部記憶とするときの、ユーザの利便性を向上する。【解決手段】  電源が入ると、書換え不能記憶媒体が装着されているかどうかを調べる（Ｓ１）。書換え可能記憶媒体が装着されているか、又は、外部記憶媒体が装着されていない場合（Ｓ１）、再生モードが指定されていれば（Ｓ２）、直前の記録画像を再生する第１の再生モードで起動し（Ｓ３）、再生モードが指定されていなければ（Ｓ２）、撮影モードで起動する（Ｓ４）。装着された外部記憶媒体１００が書換え不能記憶媒体で（Ｓ１）、記録可能でなければ（Ｓ５）、モードダイアルの指定に従い（Ｓ６）、第２の再生モード又は撮影モードで起動する（Ｓ７、Ｓ８）。第２の再生モードは、全記録画像を同時的又は順次的に閲覧できるモードである。【選択図】  図４
2008172301.tif 000002
【特許請求の範囲】
【請求項１】
撮像手段（１６）と、
外部記憶媒体（１００）を装着可能な装着部（７８，８０，８２）と、
動作モードを指定するモード指定手段（６０）
とを具備する撮像装置であって、
前記装着部に装着された前記外部記憶媒体（１００）が書換え不能記憶媒体であるか否かを判別する記憶媒体判別手段（５０、Ｓ１）と、
前記書換え不能記憶媒体が記録可能かどうかを判定する記録可能判別手段（Ｓ５）と、
記録可能な前記書換え不能記憶媒体の装着に対し（Ｓ１，Ｓ５）、前記モード指定手段の指定に従い（Ｓ２）、撮影モード又は直前の記録画像を再生表示する第１の再生モードで前記撮像装置を起動させる第１の起動制御手段（Ｓ３，Ｓ４）と、
記録不能な前記書換え不能記憶媒体の装着に対し（Ｓ５）、前記モード指定手段の指定に従い（Ｓ６）、装着された前記書換え不能記憶媒体の記録画像を閲覧表示する第２の再生モード又は撮影モードで前記撮像装置を起動させる第２の起動制御手段（Ｓ７，Ｓ８）
とを具備することを特徴とする撮像装置。
【請求項２】
撮像手段（１６）と、
外部記憶媒体（１００）を装着可能な装着部（７８，８０，８２）と、
動作モードを指定するモード指定手段（６０）
とを具備する撮像装置であって、
前記装着部に装着された前記外部記憶媒体（１００）が書換え不能記憶媒体であるか否かを判別する記憶媒体判別手段（５０、Ｓ１１）と、
前記書換え不能記憶媒体が記録可能かどうかを判定する記録可能判別手段（Ｓ１５）と、
記録可能な前記書換え不能記憶媒体の装着に対し（Ｓ１１，Ｓ１５）、前記モード指定手段の指定に従い（Ｓ１２）、撮影モード又は直前の記録画像を再生表示する第１の再生モードで前記撮像装置を起動させる第１の起動制御手段（Ｓ１３，Ｓ１４）と、
記録不能な前記書換え不能記憶媒体の装着に対し（Ｓ１５）、前記モード指定手段の指定が撮影モードの場合（Ｓ１６）、撮影モードで前記撮像装置を起動させ（Ｓ１８）、前記モード指定手段の指定が再生モードの場合（Ｓ１６）、前記第１の再生モードで起動するか、装着された前記書換え不能記憶媒体の記録画像を閲覧表示する第２の再生モードで起動するかの選択（Ｓ２０，Ｓ２１）に従い、前記第１の再生モード又は第２の再生モードで前記撮像装置を起動させる第２の起動制御手段（Ｓ２２，Ｓ２３）
とを具備することを特徴とする撮像装置。
【請求項３】
前記記録可能判別手段は、前記外部記憶媒体の残り撮影可能枚数が０枚かどうかを判別することを特徴とする請求項１又は２に記載の撮像装置。
【請求項４】
前記記録可能判別手段は、前記外部記憶媒体においてファイナライズ処理が行われているかどうかを判別することを特徴とする請求項１又は２に記載の撮像装置。
【請求項５】
前記第２の再生モードは、前記書換え不能記憶媒体内の記録画像をスライドショーするモードであることを特徴とする請求項１又は２に記載の撮像装置。
【請求項６】
前記第２の再生モードは、前記書換え不能記憶媒体内の記録画像のサムネイル画像を一覧表示するモードであることを特徴とする請求項１又は２に記載の撮像装置。
【請求項７】
前記第２の再生モードは、前記書換え不能記憶媒体内の代表画像を表示するモードであることを特徴とする請求項１又は２に記載の撮像装置。
【請求項８】
前記第２の再生モードは、前記書換え不能記憶媒体内の記録画像のうち撮影時刻が最も古い画像を表示するモードであることを特徴とする請求項１又は２に記載の撮像装置。
【請求項９】
書換え不能記憶媒体を撮影画像の記録媒体として使用可能な撮像装置の制御方法であって、
装着された記憶媒体（１００）が書換え不能記憶媒体であるか否かを判別する記憶媒体判別ステップ（Ｓ１）と、
前記書換え不能記憶媒体である場合に記録可能かどうかを判定する記録可能判別ステップ（Ｓ５）、
書換え可能記憶媒体の装着、又は、記録可能な前記書換え不能記憶媒体の装着に対し（Ｓ１，Ｓ５）、モード指定に従い（Ｓ２）、撮影モード又は直前の記録画像を再生表示する第１の再生モードで前記撮像装置を起動させる第１の起動制御ステップ（Ｓ３，Ｓ４）と、
記録不能な前記書換え不能記憶媒体の装着に対し（Ｓ５）、モード指定に従い（Ｓ６）、装着された前記書換え不能記憶媒体の記録画像を閲覧表示する第２の再生モード又は撮影モードで前記撮像装置を起動させる第２の起動制御ステップ（Ｓ７，Ｓ８）
とを具備することを特徴とする撮像装置の制御方法。
【請求項１０】
書換え不能記憶媒体を撮影画像の記録媒体として使用可能な撮像装置の制御方法であって、
装着された記憶媒体（１００）が書換え不能記憶媒体であるか否かを判別する記憶媒体判別ステップ（Ｓ１１）と、
前記書換え不能記憶媒体である場合に記録可能かどうかを判定する記録可能判別ステップ（Ｓ１５）、
書換え可能記憶媒体の装着、又は、記録可能な前記書換え不能記憶媒体の装着に対し（Ｓ１１，Ｓ１５）、モード指定に従い（Ｓ１２）、撮影モード又は直前の記録画像を再生表示する第１の再生モードで前記撮像装置を起動させる第１の起動制御ステップ（Ｓ１３，Ｓ１４）と、
記録不能な前記書換え不能記憶媒体の装着に対し（Ｓ１５）、モード指定が撮影モードの場合（Ｓ１６）、撮影モードで前記撮像装置を起動させる第２の起動制御ステップ（Ｓ１８）と、
記録不能な前記書換え不能記憶媒体の装着に対し（Ｓ１５）、モード指定が再生モードの場合（Ｓ１６）、前記第１の再生モードで起動するか、装着された前記書換え不能記憶媒体の記録画像を閲覧表示する第２の再生モードで起動するかの選択（Ｓ２０，Ｓ２１）に従い、前記第１の再生モード又は第２の再生モードで前記撮像装置を起動させる第３の起動制御ステップ（Ｓ２２，Ｓ２３）
とを具備することを特徴とする撮像装置の制御方法。
【発明の詳細な説明】
【技術分野】
【０００１】
本発明は、撮像装置及びその制御方法に関し、より具体的には、書換え不能記憶媒体を利用する撮像装置及びその制御方法に関する。
【背景技術】
【０００２】
近年、デジタルカメラ等で使用する交換可能な外部記憶媒体として、コストを下げる目的で書換えが不可能な記憶媒体が、使用される。そのような書換え不能記憶媒体には、１セッションでしかデータを書き込めず、書込み済みのデータを書換えできない記憶媒体（いわゆるワンセッション型書換え不能記憶媒体）と、複数セッションにわたり書込みできるが、書込み済みのデータを書換えできない記憶媒体とがある。変更できない書込み可能であるが、書換えできない記憶媒体（いわゆる、マルチセッション型書換え不能記憶媒体）とがある。但し、書込み済みのデータを削除できるものと、削除できないものとがある。
【０００３】
書換え不能記憶媒体が装填された場合と、書換え可能な記憶媒体が装填された場合とで、動作を変更する撮像装置が、特許文献１，２に記載されている。例えば、特許文献１には、記録不能な記憶媒体が装填された場合、自動で再生モードに移行するカメラが記載されている。特許文献２には、記憶媒体に応じて、実行可能な機能（削除、初期化等）を変更するカメラが記載されている。
【特許文献１】特開２００１−２５１５３８号公報
【特許文献２】特開２００４−２４２２６０号公報
【発明の開示】
【発明が解決しようとする課題】
【０００４】
上記のような書換え不能記憶媒体を使用する場合、残り記憶容量が無くなるまで撮影した後、又は、一連の撮影が終了した後は、その記憶媒体は、閲覧専用の記憶媒体として使用される。しかし、ユーザには、装填された書換え不能記憶媒体が、既に閲覧専用になっているかどうかを認識する術が提供されていない。閲覧専用になっていることをユーザに知らせることができなければ、撮像装置の誤動作と誤認される虞がある。
【０００５】
そこで、本発明は、書換え不能記憶媒体の利用に対して、その利用状況に応じた動作モードで起動することでユーザの利便性を高めた撮像装置及びその制御方法を提示することを目的とする。
【０００６】
本発明はまた、閲覧専用の記憶媒体であることをユーザに直感的に感知させ得る撮像装置及びその制御方法を提示することを目的とする。
【課題を解決するための手段】
【０００７】
上記の目的を達成するために、本発明に係る撮像装置は、撮像手段と、外部記憶媒体を装着可能な装着部と、動作モードを指定するモード指定手段とを具備する撮像装置であって、前記装着部に装着された前記外部記憶媒体が書換え不能記憶媒体であるか否かを判別する記憶媒体判別手段と、前記書換え不能記憶媒体が記録可能かどうかを判定する記録可能判別手段と、記録可能な前記書換え不能記憶媒体の装着に対し、前記モード指定手段の指定に従い、撮影モード又は直前の記録画像を再生表示する第１の再生モードで前記撮像装置を起動させる第１の起動制御手段と、記録不能な前記書換え不能記憶媒体の装着に対し、前記モード指定手段の指定に従い、装着された前記書換え不能記憶媒体の記録画像を閲覧表示する第２の再生モード又は撮影モードで前記撮像装置を起動させる第２の起動制御手段とを具備することを特徴とする。
【０００８】
本発明に係る撮像装置は、撮像手段と、外部記憶媒体を装着可能な装着部と、動作モードを指定するモード指定手段とを具備する撮像装置であって、前記装着部に装着された前記外部記憶媒体が書換え不能記憶媒体であるか否かを判別する記憶媒体判別手段と、前記書換え不能記憶媒体が記録可能かどうかを判定する記録可能判別手段と、記録可能な前記書換え不能記憶媒体の装着に対し、前記モード指定手段の指定に従い、撮影モード又は直前の記録画像を再生表示する第１の再生モードで前記撮像装置を起動させる第１の起動制御手段と、記録不能な前記書換え不能記憶媒体の装着に対し、前記モード指定手段の指定が撮影モードの場合、撮影モードで前記撮像装置を起動させ、前記モード指定手段の指定が再生モードの場合、前記第１の再生モードで起動するか、装着された前記書換え不能記憶媒体の記録画像を閲覧表示する第２の再生モードで起動するかの選択に従い、前記第１の再生モード又は第２の再生モードで前記撮像装置を起動させる第２の起動制御手段とを具備することを特徴とする。
【０００９】
本発明に係る撮像装置の制御方法は、書換え不能記憶媒体を撮影画像の記録媒体として使用可能な撮像装置の制御方法であって、装着された記憶媒体が書換え不能記憶媒体であるか否かを判別する記憶媒体判別ステップと、前記書換え不能記憶媒体である場合に記録可能かどうかを判定する記録可能判別ステップ、書換え可能記憶媒体の装着、又は、記録可能な前記書換え不能記憶媒体の装着に対し、モード指定に従い、撮影モード又は直前の記録画像を再生表示する第１の再生モードで前記撮像装置を起動させる第１の起動制御ステップと、記録不能な前記書換え不能記憶媒体の装着に対し、モード指定に従い、装着された前記書換え不能記憶媒体の記録画像を閲覧表示する第２の再生モード又は撮影モードで前記撮像装置を起動させる第２の起動制御ステップとを具備することを特徴とする。
【００１０】
本発明に係る撮像装置の制御方法は、書換え不能記憶媒体を撮影画像の記録媒体として使用可能な撮像装置の制御方法であって、装着された記憶媒体が書換え不能記憶媒体であるか否かを判別する記憶媒体判別ステップと、前記書換え不能記憶媒体である場合に記録可能かどうかを判定する記録可能判別ステップ、書換え可能記憶媒体の装着、又は、記録可能な前記書換え不能記憶媒体の装着に対し、モード指定に従い、撮影モード又は直前の記録画像を再生表示する第１の再生モードで前記撮像装置を起動させる第１の起動制御ステップと、記録不能な前記書換え不能記憶媒体の装着に対し、モード指定が撮影モードの場合、撮影モードで前記撮像装置を起動させる第２の起動制御ステップと、記録不能な前記書換え不能記憶媒体の装着に対し、モード指定が再生モードの場合、前記第１の再生モードで起動するか、装着された前記書換え不能記憶媒体の記録画像を閲覧表示する第２の再生モードで起動するかの選択に従い、前記第１の再生モード又は第２の再生モードで前記撮像装置を起動させる第３の起動制御ステップとを具備することを特徴とする。
【発明の効果】
【００１１】
本発明によれば、書換え不能記憶媒体を使用する際のユーザの利便性が向上する。特に、記録不能になり、閲覧専用になった場合に、閲覧に適した第２の再生モードを用意しているので、閲覧専用になったことをユーザに直感させることができる。
【発明を実施するための最良の形態】
【００１２】
以下、図面を参照して、本発明の実施例を詳細に説明する。
【実施例１】
【００１３】
図１は、本発明の一実施例である撮像装置１０の概略構成ブロック図である。撮像装置１０は、例えば、デジタルスチルカメラ又はデジタルビデオカメラ等である。
【００１４】
撮影レンズ１２は、フォーカス調整のためのフォーカシングレンズと、ズーミングのためのズームレンズを具備する。シャッタ１４は、絞り機能を具備する。ＣＣＤ撮像素子１６は、撮影レンズ１２及びシャッタ１４を透過した被写体光学像を電気信号に変換する。Ａ／Ｄ変換器１８は、ＣＣＤ撮像素子１６から出力されるアナログ画像信号をデジタル信号に変換する。
【００１５】
タイミング発生装置２０は、クロック信号及び／又は制御信号をＣＣＤ撮像素子１６、Ａ／Ｄ変換器１８及びＤ／Ａ変換器２８に供給する。メモリ制御装置２４及びシステム制御装置５０がタイミング発生装置２０を制御する。
【００１６】
画像処理装置２２は、色バランス補正機能、画素補間機能及び色変換機能を具備する。具体的には、画像処理装置２２は、撮像した画像データ（Ａ／Ｄ変換器１８）からの画像データに対して自動色補正（ＡＷＢ）処理、画素補間処理又は色変換処理を行い、メモリ制御装置２４からの画像データに対して画素補間処理又は色変換処理を行う。また、画像処理装置２２は、撮像した画像データに対して、ＴＴＬ（スルー・ザ・レンズ）方式のＡＦ（オートフォーカス）処理、ＡＥ（自動露出）処理及びＥＦ（フラッシュプリ発光）処理のための所定の演算処理を行い、演算結果をシステム制御装置５０に供給する。システム制御装置５０は、得られた演算結果に基づいて露光制御装置４０及び測距制御装置４２を介して撮影レンズ１２のフォーカス及びシャッタ１４の開口度を制御し、フラッシュ４８の発光を制御する。
【００１７】
メモリ制御装置２４は、Ａ／Ｄ変換器１８、画像処理装置２２、画像表示メモリ２６、Ｄ／Ａ変換器２８、メモリ３２及び圧縮伸長装置３４の間のデータ転送を制御し、そのためのタイミング発生装置２０のタイミングを制御する。すなわち、Ａ／Ｄ変換器１８の出力データは、画像処理装置２２及びメモリ制御装置２４を介して、又は、メモリ制御装置２４のみを介して、画像表示メモリ２６又はメモリ３２に書き込む。
【００１８】
画像表示メモリ２６は、画像表示用に画像データを記憶する。メモリ制御装置２４は、画像表示メモリ２６に記憶される画像データを定期的に読み出して、Ｄ／Ａ変換器２８に供給する。Ｄ／Ａ変換器２８は、メモリ制御装置２４からの画像データをアナログ信号に変換し、画像表示装置３０に供給する。これにより、ユーザは、画像表示メモリ２６に記憶される画像、一般的には、ＣＣＤ撮像素子１６の出力画像を画像表示装置３０の画面上で確認できる。すなわち、画像表示装置３０を電子ファインダとして使用できる。システム制御装置５０は、ユーザによる画像表示スイッチ６４の操作に応じて、任意に画像表示装置３０の表示をオン／オフできる。例えば、画像表示装置３０の表示をオフにすると、撮像装置１０の電力消費を大幅に低減できる。
【００１９】
画像表示装置３０の画面内に、合焦、手振れ警告、フラッシュ充電、シャッタスピード、絞り値及び露出補正などの撮影に関する情報を表示してもよい。
【００２０】
メモリ３２は、所定枚数の静止画像又は所定時間の動画像を格納するのに十分な記憶量を備えており、撮影した静止画像又は動画像を一時的に格納するバッファとして使用される。大容量のメモリ３２により、圧縮伸長装置３４の圧縮速度及び外部記憶媒体１００の書込み速度に制限されずに、複数枚の静止画像を連続して撮影する連射撮影又はパノラマ撮影が可能になり、相対的に長い時間の動画撮影が可能になる。また、メモリ３２はシステム制御装置５０の作業領域（ワークメモリ）としても使用することが可能である。
【００２１】
圧縮伸長装置３４は、適応離散コサイン変換（ＡＤＣＴ）等によりメモリ３２上の画像データを圧縮して、圧縮画像データをメモリ３２に書込み、また、メモリ３２上の圧縮画像データを伸長して、伸長された画像データをメモリ３２に書き込む。
【００２２】
保護装置３６は、撮像装置１０の撮影レンズ１２を含む撮像部を覆う装置であり、撮像部の汚れや破損を防止する。露光制御装置４０は、シャッタ１４の開口度と開閉を制御する。測距制御装置４２は撮影レンズ１２のフォーカシングを制御する。ズーム制御装置４４は、撮影レンズ１２のズーミングを制御する。バリア制御装置４６は、保護装置３６の開閉を制御する。フラッシュ４８はＡＦ補助光の投光機能とフラッシュ調光機能を具備し、システム制御装置５０からの制御信号に従って発光する。
【００２３】
システム制御装置５０は、撮像装置１０の全体を制御する。特に、システム制御装置５０は、撮像した画像データを画像処理装置２２で演算処理した結果に従い、露光制御装置４０により露光量（絞り値及びシャッタスピード）を制御し、測距制御装置４２により撮影レンズ１２のフォーカスを制御する。メモリ５２は、システム制御装置５０の動作用の定数、変数及びプログラム等を記憶する。
【００２４】
表示装置５４は、液晶表示パネル又は発光ダイオード等からなり、システム制御装置５０でのプログラムの実行に応じて、文字及び画像の表示、点灯又は点滅等により動作状態又はメッセージ等（ファイルデータ等）をユーザに表示する。スピーカを併用して、音声メッセージを併用又は代わりに使用しても良い。表示装置５４は、撮像装置１０の操作装置６８近辺の視認し易い位置に単数あるいは複数個所設置される。表示装置５４の一部の機能は、光学ファインダ１０４の内部に配置される。
【００２５】
表示装置５４の表示内容は、例えば、シングルショット／連写撮影、セルフタイマ、圧縮率、記録画素数、記録枚数、残撮影可能枚数、シャッタスピード、絞り値、露出補正値、フラッシュの有無、赤目緩和の有無、マクロ撮影、ブザー設定、時計用電池残量、電池残量、エラー、複数桁の英数字情報、外部記憶媒体１００の着脱状態、通信Ｉ／Ｆの動作状態、及び日付け時刻等である。
【００２６】
光学ファインダ１０４内には、合焦、手振れ警告、フラッシュ充電状態、シャッタスピード、絞り値、及び露出補正値等が表示される。
【００２７】
不揮発性メモリ５６は電気的に消去・記録可能であり、例えばＥＥＰＲＯＭ等からなり、各種の設定情報等が格納される。
【００２８】
モードダイアル６０、レリーズスイッチ（ＳＷ）６２、画像表示スイッチ（ＳＷ）６４、クイックレビュースイッチ（ＳＷ）６６及び操作装置６８は、システム制御装置５０に各種の動作を指示入力するための操作手段であり、スイッチ、ダイアル、タッチパネル、視線検知によるポインティング又は音声認識装置等の単数又は複数の組み合わせで構成される。
【００２９】
モードダイアル６０により、電源オフ、自動撮影モード、撮影モード、パノラマ撮影モード、再生モード、マルチ画面再生・消去モード及びＰＣ接続モード等の各機能モードを切り替えて、設定できる。
【００３０】
レリーズＳＷ６２は、半押し状態でオンになる半押しスイッチ（ＳＷ１）と全押し状態でオンになる全押しスイッチ（ＳＷ２）とからなる。システム制御装置５０は、半押し状態で、ＡＦ処理、ＡＥ処理、ＡＷＢ処理及びＥＦ処理等の動作を開始し、全押し状態で、撮影画像の記録処理を開始する。即ち、システム制御装置５０は、レリーズＳＷ６２の全押しに対し、ＣＣＤ撮像素子１６から読み出された画像信号をＡ／Ｄ変換器１８及びメモリ制御装置２４を介してメモリ３２に画像データを書き込む露光処理、画像処理装置２２を用いる現像処理、圧縮伸長装置３４による圧縮処理、及び外部記憶媒体１００に圧縮画像データを書き込む記録処理という一連の処理を開始する。
【００３１】
画像表示ＳＷ６４は、画像表示装置３０の画像表示のオン／オフをシステム制御装置５０に指示するスイッチである。光学ファインダ１０４を用いて撮影を行う際に、画像表示装置３０への電流供給を遮断することにより、電力消費を低減できる。
【００３２】
クイックレビューＳＷ６６は、クイックレビュー機能のオン／オフをシステム制御装置５０に指示するスイッチである。クイックレビュー機能は、撮影直後に撮影画像を自動再生する機能である。なお、本実施例では、画像表示装置３０の表示をオフとした場合には、クイックレビュー機能は、自動でオフになる。
【００３３】
操作装置６８は各種ボタン又はタッチパネル等からなり、機能的には、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン及び日付／時間設定ボタン等がある。
【００３４】
電源制御装置７０は、電池検出回路、ＤＣ−ＤＣコンバータ、及び、通電するブロックを切り替えるスイッチ回路等により構成される。電源制御装置７０は、コネクタ７２，７４を介して電源７６に接続する。電源制御装置７０は、電源７６となる電池の装着の有無、電池の種類及び電池残量を検出し、検出結果及びシステム制御装置５０からの指示に基づいて、必要な電圧を必要な期間、外部記憶媒体１００を含む各部に供給する。電源７６は、ＡＣアダプタ、アルカリ電池又はリチウム電池等の一次電池、若しくは、ＮｉＣｄ電池、ＮｉＭＨ電池又はＬｉ電池等の二次電池等からなる。
【００３５】
カード制御装置７８は、インターフェース８０及びコネクタ８２，８４を介してメモリカード等の外部記憶媒体１００に接続し、外部記憶媒体１００のデータアクセスを制御する。記憶媒体脱着検知装置８６は、コネクタ８２に外部記憶媒体１００のコネクタ８４が接続されているか否かを検知する。
【００３６】
外部記憶媒体１００を取り付けるＩ／Ｆ８０及びコネクタ８２，８４は、単数又は複数の系統を備える構成としても構わない。また、複数系統、有する場合、接続規格が異なっても良い。外部記憶媒体１００の接続には、例えば、ＰＣＭＣＩＡカードの接続規格、半導体メモリカードの接続規格を利用できる。ＬＡＮカード、モデムカード、ＵＳＢカード、ＩＥＥＥ１３９４カード、Ｐ１２８４カード、ＳＣＳＩカード、又は、ＰＨＳ等の通信カード等の各種通信カードを接続することにより、他のコンピュータやプリンタ等の周辺機器との間で画像データと画像データに付属する管理情報等を相互に転送出来る。
【００３７】
システム制御装置５０はまた、通信装置８８及びコネクタ（無線の場合には、アンテナ）９０を介して、他の機器とデータをやり取りできる。
【００３８】
図２は、外部記憶媒体１００の内部構成を示す概略構成ブロック図である。外部記憶媒体１００は、媒体制御装置１００ａと不揮発性メモリ１００ｂとからなる。媒体制御装置１００ａは、撮像装置１０内のカード制御装置７８からコマンド線を介して既定のコマンドを受信し、カード制御装置７８との間でデータ線を介してデータを送受信する。
【００３９】
媒体制御装置１００ａは、受信したコマンドを実行した処理結果を、データ線を介してカード制御装置７８に返信する。ここで言うコマンドには、不揮発性メモリ１００ｂにデータを書き込む書込みコマンドＷＲＩＴＥ＿ＣＭＤ、不揮発性メモリ１００ｂからデータを読み出す読出しコマンドＲＥＡＤ＿ＣＭＤ、及び不揮発性メモリ１００ｂの書き込み可能セクタ数を問い合わせるセクタ数問合せコマンドＡＶＡＩＬＡＢＬＥ＿ＳＥＣＴＯＲ＿ＣＭＤ等がある。媒体制御装置１００ａは、受信したコマンドとデータに応じた処理を不揮発性メモリ１００ｂに適用する。
【００４０】
また、媒体制御装置１００ａは、不揮発性メモリ１００ｂの物理空間を論理化して管理し、そのための論理空間と物理空間の対応表を記憶する。媒体制御装置１００ａは、カード制御装置７８からの論理空間位置の情報を、不揮発性メモリ１００ｂの物理空間位置に変換して、不揮発性メモリ１００ｂにアクセスする。
【００４１】
外部記憶媒体１００がマルチセッションの書換え不能記憶媒体である場合、外部記憶媒体１００の記録済みのデータを編集して、外部記憶媒体１００に記録する場合、編集後のデータは、外部記憶媒体１００に追記される。この時、媒体制御装置１００ａは、編集後のデータが不揮発性メモリ１００ｂの同じ位置に記録されているかのように、不揮発性メモリ１００ｂの物理空間と論理空間の対応を変更する。外部記憶媒体１００の外部のカード制御装置７８は、不揮発性メモリ１００ｂの物理アドレスを知る必要無しに、編集後のデータにアクセスできる。
【００４２】
例えば、媒体制御装置１００ａは、不揮発性メモリ１００ｂの論理空間位置（例えば、０ｘ２０）と書き込みデータ（例えば、０ｘＡＡ）を引数として付加した書込みコマンドＷＲＩＴＥ＿ＣＭＤをカード制御装置７８から受信すると、論理空間位置（例えば、０ｘ２０）を物理空間位置（例えば、０ｘ４０）に変換して、不揮発性メモリ１００ｂにデータ０ｘＡＡを書き込む。媒体制御装置１００ａは、書込み処理結果を、データ線を介してカード制御装置７８に返信する。
【００４３】
また、媒体制御装置１００ａは、セクタ数問合せコマンドＡＶＡＩＬＡＢＬＥ＿ＳＥＣＴＯＲ＿ＣＭＤを受信すると、不揮発性メモリ１００ｂの書き込み可能なセクタ数をデータ線を介してカード制御装置７８に返信する。なお、不揮発性メモリ１００ｂは、ハードディスク装置、光ディスク、光磁気ディスク又は半導体メモリ等である。
【００４４】
図３及び図４を参照して、本実施例のカメラ起動方法を説明する。図３は、本実施例の起動手順の模式図を示し、図４は、動作フローチャートを示す。
【００４５】
図４において、撮像装置１０に電源が入ると、システム制御装置５０は、外部記憶媒体１００として書換え不能記憶媒体が装着されているかどうかを調べる（Ｓ１）。装着されている外部記憶媒体１００が書換え可能記憶媒体であるか、又は、外部記憶媒体１００が装着されていない場合（Ｓ１）、モードダイアル６０により再生モードが指定されているかどうかを判断する（Ｓ２）。再生モードが指定されていれば（Ｓ２）、第１の再生モードで起動し（Ｓ３）、再生モードが指定されていなければ（Ｓ２）、撮影モードで起動する（Ｓ４）。
【００４６】
装着された外部記憶媒体１００が書換え不能記憶媒体である場合（Ｓ１）、システム制御装置５０は、外部記憶媒体１００に記録余地があるかどうか、即ち、追記が可能かどうかを判断する（Ｓ５）。記録可能かどうかは、次のようにして判断できる。即ち、システム制御装置５０は、カード制御装置７８を介して外部記憶媒体１００の媒体制御装置１００ａにセクタ数問合せコマンドＡＶＡＩＬＡＢＬＥ＿ＳＥＣＴＯＲ＿ＣＭＤを送信する。これにより、システム制御装置５０は、外部記憶媒体１００の不揮発性メモリ１００ｂの利用可能セクタ数、即ち、未使用のセクタ数を知ることができる。システム制御装置５０は、得られた利用可能セクタ数を元に撮影可能枚数を計算する。撮影可能枚数が１枚以上のとき、記録可能と判断し、撮影可能枚数が０枚のとき、記録不能と判断する。また、撮影可能枚数を計算するまでもなく、外部記憶媒体１００に追記をしないことを示す特定のファイナライズ処理が施されているかどうかによって、記録可能かどうかを判断することもできる。
【００４７】
書換え不能記憶媒体でも（Ｓ１）、記録可能である場合（Ｓ５）、ステップＳ２に移行し、上述したように、第１の再生モードで起動するか（Ｓ３）、又は撮影モードで起動する（Ｓ４）。
【００４８】
書換え不能記憶媒体が記録不能である場合（Ｓ５）、モードダイアル６０により再生モードが指定されているかどうかを判断する（Ｓ６）。再生モードが指定されていれば（Ｓ６）、第２の再生モードで起動し（Ｓ７）、再生モードが指定されていなければ（Ｓ６）、撮影モードで起動する（Ｓ８）。第２の再生モードは、閲覧に特化した再生モードであり、記録内容の一覧や検索に適するだけでなく、追記を含めて記録が不可能な記憶媒体が外部記憶媒体１００として装着されていることをユーザに明確に示す動作モードである。また、記録が全く不能であるにも関わらず、撮影モードで起動するのは（Ｓ８）、記録は不要であるが、撮像装置１０の撮影動作を確認したい場合がありうるからである。
【００４９】
第１の再生モードと第２の再生モードの相違を説明する。第１の再生モードでは、最後に撮影された画像、即ち撮影時刻が最も新しい画像が起動時に表示される。これにより、最後に撮影した画像を容易にチェックすることができる。また、第１の再生モードとして表示させる画像としては、直前の記録画像ではなく、最後に再生した画像を表示するようにしてもよい。これに対し、第２の再生モードでは、スライドショーのように、外部記憶媒体１００に記録される複数の画像を同時的に又は順次的に再生表示する。これにより、追記を含めて記録が不能である記憶媒体の記録画像を容易に一覧でき、かつまた、閲覧専用の媒体であることをユーザに認知させることができる。
【００５０】
また、第２の再生モードとして、１画面内に複数のサムネイル画像を同時表示するようにしてもよい。これによっても、閲覧が容易になるし、閲覧専用の媒体であることをユーザに認知させることができる。
【００５１】
一連の撮影が終了し、閲覧専用となった書換え不能記憶媒体の場合、一連の撮影を代表する画像をユーザに選択させ、第２の再生モードでは、これら選択された代表画像を同時的又は順次的に表示させてもよい。これにより、複数の撮影画像の全体のイメージを容易につかむことができる。これによっても、閲覧専用の媒体であることをユーザに認知させることができる。
【００５２】
勿論、第２の再生モードとして、オーソドックスな方法として、最初に撮影された画像、即ち撮影時刻が最も古い画像を表示するようにしてもよい。また、最も古い画像のみではなく、この画像から順にスライドショーとして表示するようにしてもよい。又は、この画像から順にサムネイル画像として、一覧表示するようにしてもよい。
【実施例２】
【００５３】
図５は、本発明の実施例２におけるカメラ起動手順の模式図を示す。図６は、実施例２の動作フローチャートを示す。図６のステップＳ１１〜Ｓ１６，Ｓ１８は、図４のステップＳ１〜Ｓ６，Ｓ８と同じであるので、詳細な説明を省略する。
【００５４】
書換え不能記憶媒体が記録不能で（Ｓ１５）、モードダイアル６０により再生モードが指定されている場合（Ｓ１６）、ユーザに第１の再生モードと第２の再生モードの選択を促す図５に示すような再生モード選択画面を表示する（Ｓ２０）。そして、ユーザが第２の再生モードを選択した場合には（Ｓ２１）、第２の再生モードで起動する（Ｓ２２）。ユーザが第１の再生モードを選択した場合には（Ｓ２１）、第１の再生モードで起動する（Ｓ２３）。
【００５５】
本実施例２では、記録不能又は追記不能な書換え不能記憶媒体が装着され、再生モードが指定されている場合に第１及び第２の再生モードの何れで起動するかの条件を予め設定しておいても良い。条件で予め指定した再生モードが起動した後に、操作部の操作で別の再生モードに移行できるようにしておくと便利であり、このような変更は技術的に自明である。
【００５６】
以上説明したように、上述の各実施例によれば、書換え不能記憶媒体を利用する場合の、ユーザの利便性が向上する。また、当該書換え不能記憶媒体が記録不能又は追記不能になっている場合に、記録画像の閲覧性が向上すると共に、閲覧専用になっていることを容易にユーザに直感させることができる。
【図面の簡単な説明】
【００５７】
【図１】本発明の実施例１の概略構成ブロック図である。
【図２】外部記憶媒体１００の概略構成ブロック図である。
【図３】本実施例１のカメラ起動手順の模式図である。
【図４】本実施例１の動作フローチャートである。
【図５】本発明の実施例２の起動手順の模式図である。
【図６】本実施例２の動作フローチャートである。
【符号の説明】
【００５８】
１０  撮像装置
１２  撮影レンズ
１４  シャッタ
１６  ＣＣＤ撮像素子
１８  Ａ／Ｄ変換器
２０  タイミング発生装置
２２  画像処理装置
２４  メモリ制御装置
２６  画像表示メモリ
２８  Ｄ／Ａ変換器
３０  画像表示装置
３２  メモリ
３４  圧縮伸長装置
３６  保護装置
４０  露光制御装置
４２  測距制御装置
４４  ズーム制御装置
４６  バリア制御装置
４８  フラッシュ
５０  システム制御装置
５２  メモリ
５４  表示装置
５６  不揮発性メモリ
６０  モードダイアル
６２  レリーズスイッチ（ＳＷ１，ＳＷ２）
６４  画像表示スイッチ
６６  クイックレビュースイッチ
６８  操作装置
７０  電源制御装置
７２，７４  コネクタ
７６  電源装置
７８  カード制御装置
８０  Ｉ／Ｆ（インターフェース）
８２，８４  コネクタ
８６  記憶媒体着脱検知装置
８８  通信装置
９０  コネクタ（アンテナ）
１００  外部記憶媒体
１００ａ  媒体制御装置
１００ｂ  不揮発性メモリ
【図１】
2008172301.tif 000003
【図２】
2008172301.tif 000004
【図３】
2008172301.tif 000005
【図４】
2008172301.tif 000006
【図５】
2008172301.tif 000007
【図６】
2008172301.tif 000008